(57)【要約】  【課題】低消費電力でかつ視認性の高い表示装置を提供することを目的とする。【解決手段】一対の基板間に液晶を挟持した液晶パネル４０と、外光の光を視認側に反射する反射層５２と、液晶パネルの背後に配置された外部光源５５とを備えた液晶表示装置５０であって、外部光源５５は、液晶パネル４０の表示領域４１における一部の領域５３のみを照射するように配置されることを特徴とする。また一部の領域５３を除く他の表示領域では、外光の光を視認側に反射して行う反射表示のみを行うことを特徴とする。【選択図】図１
2008070424.tif 000002
【特許請求の範囲】
【請求項１】
一対の基板間に液晶を挟持した液晶パネルと、外光の光を視認側に反射する反射層と、前記液晶パネルの背後に配置された外部光源とを備えた液晶表示装置であって、
前記外部光源は、前記液晶パネルの表示領域における一部の領域のみを照射するように配置されることを特徴とする液晶表示装置。
【請求項２】
前記一部の領域を除く他の表示領域では、外光の光を視認側に反射して行う反射表示のみを行うことを特徴とする液晶表示装置。
【請求項３】
前記外部光源は導光板と光源とで構成され、前記導光板の大きさは前記一部の領域に対応する大きさであることを特徴とする請求項１に記載の液晶表示装置。
【請求項４】
前記液晶は少なくとも二つの安定状態を持つメモリ性液晶であることを特徴とする請求項１に記載の液晶表示装置。
【請求項５】
前記反射層は、前記外部光源からの光を透過することが可能な半透過反射層であることを特徴とする請求項１に記載の液晶表示装置。
【請求項６】
前記反射層は、それぞれ直交する第１透過軸と第１反射軸とを有し、前記第１透過軸に平行な振動面を有する直線偏光を透過し、かつ前記第１反射軸に平行な振動面を有する直線偏光を反射する特性を有する反射型偏光板であることを特徴とする請求項５に記載の液晶表示装置。
【請求項７】
前記液晶パネルは、前記一部の領域の表示を点滅表示とすることを特徴とする請求項１に記載の液晶表示装置。
【請求項８】
前記液晶パネルは、前記一部の領域の表示のみを駆動する部分駆動を行うことを特徴とする請求項１に記載の液晶表示装置。
【請求項９】
さらに、人が近づくのを検知する検出部を備え、該検出部が近づく人を感知したときに、前記点滅表示を行うことを特徴とする請求項７に記載の液晶表示装置。
【請求項１０】
さらに、人が近づくのを検知する検出部を備え、該検出部が近づく人を感知したときに、前記部分駆動を行うことを特徴とする請求項８に記載の液晶表示装置。
【発明の詳細な説明】
【技術分野】
【０００１】
本発明は、液晶表示装置に関するものであり、特に液晶の二つの安定状態によるメモリ性効果を利用することで低電圧動作を可能とし、さらに強調表示を実現するにあたり容易な回路構成で視認性を向上させた液晶表示装置に関する。
【背景技術】
【０００２】
最近注目されている電子書籍や電子新聞などにおいて、表示画面を頻繁に切り替えないような携帯情報端末の表示装置として、メモリ性を有する液晶が注目されている。メモリ性を有するということは、すなわち電圧が無印加時においても表示状態を維持することができる。このような特性を利用し、強誘電性液晶などのメモリ性液晶を用いた表示パネルにおいて、表示内容を変更する必要がある部分にのみ走査電極の駆動を行い、表示内容を変更する必要が無い部分については走査電極の駆動を行わないようにするといった制御方法が提案されている（例えば、特許文献１）。
【０００３】
また、視認性を高めるために液晶パネルの背面にＥＬやＬＥＤなどの外部光源を用いた場合、外部光源での消費電力の削減を図るために液晶パネルの画素に印加する書き込み信号と同期して各画素に対応する部分の発光部を部分的に制御可能とした外部光源について提案されている（例えば、特許文献２）。
【０００４】
【特許文献１】特開平２−１３１２８６号公報
【特許文献２】特開昭６２−３５３２５号公報
【発明の開示】
【発明が解決しようとする課題】
【０００５】
しかしながら、さらなる低消費電力を実現し、かつ視認性を向上させる方法に関する提案はされていなかった。そこで、本発明は、視認性を向上させるために外部光源を用いた場合においても低消費電力化が実現できる液晶表示装置を提供することを目的とする。
【課題を解決するための手段】
【０００６】
上述した課題を解決し目的を達成するために本発明は以下の構成を採用する。一対の基板間に液晶を挟持した液晶パネルと、外光の光を視認側に反射する反射層と、液晶パネルの背後に配置された外部光源とを備えた液晶表示装置であって、外部光源は液晶パネルの表示領域における一部の領域のみを照射するように配置されることを特徴とする。また、一部の領域を除く他の表示領域では、反射表示のみを行うことを特徴とする。
【０００７】
また、外部光源は導光板と光源とで構成され、導光板の大きさは一部の領域に対応する大きさであることを特徴とする。
【０００８】
また、液晶は少なくとも二つの安定状態を持つメモリ性液晶であることを特徴とする。また、反射層は、外部光源からの光を透過することが可能な半透過反射層であることを特徴とする。また、反射層は、それぞれ直交する第１透過軸と第１反射軸とを有し、第１透過軸に平行な振動面を有する直線偏光を透過し、かつ第１反射軸に平行な振動面を有する直線偏光を反射する特性を有する反射型偏光板であることを特徴とする。
【０００９】
また、液晶パネルは一部の領域の表示を点滅表示とすることを特徴とする。また、液晶パネルは、一部の領域の表示のみを駆動する部分駆動を行うことを特徴とする。さらに、人が近づくのを検知する検出部を備え、検出部が近づく人を感知したときに、点滅表示あ
るいは部分駆動を行うことを特徴とする。
【発明の効果】
【００１０】
発明によれば、背面に外部光源を配置したメモリ性液晶表示装置において、外部光源による著しい消費電力の増加がなく、視認性の高い表示媒体を提供することが可能となる。
【発明を実施するための最良の形態】
【００１１】
以下図面を参照して、本発明に係る液晶表示装置について説明する。液晶材料としては、電圧を印加しなくても特定の状態を保持し続ける特性を有するメモリ性液晶を採用した。メモリ性液晶とは、複数の光学的な状態を有し、例えば強誘電性液晶やコレステリック液晶が該当する。
【００１２】
本実施形態では、メモリ性液晶として、強誘電性液晶を用いたので、以下強誘電性液晶パネルを例に説明する。
【００１３】
図２に、本発明に係る強誘電性液晶パネル４０の断面図を示す。図２に示すように、強誘電性液晶パネル４０は、第１の透明ガラス基板４４ａ、第２の透明ガラス基板４４ｂ、第１の透明ガラス基板４４ａ上に設けられた走査電極４３ａ、第２の透明ガラス基板４４ｂ上に設けられた信号電極４３ｂ、走査電極４３ａ上に塗布されかつラビング処理された高分子配向膜４２ａ、信号電極４３ｂ上に塗布されかつラビング処理された高分子配向膜４２ｂ、シール部材４５、第１及び第２の透明ガラス基板４４ａ及び４４ｂの間に挟持されシール部材４５によって封入された液晶４６から構成した。
【００１４】
図２では、便宜上５本の走査電極４３ａを示したが、本実施の形態では、透明導電膜パターンにより構成した１２０本の走査電極４３ａを強誘電性液晶パネル４０の全体に渡って配置した。図２には明記されていないが、本実施の形態では、透明導電膜パターンにより構成した１２０本の信号電極４３ｂを走査電極４３ａと直交するように強誘電性液晶パネル４０の全体に渡って配置した。走査電極４３ａと信号電極４３ｂが交差する各点が強誘電性液晶パネル４０の各画素に相当する。液晶４６は第１及び第２の透明ガラス基板４４ａ及び４４ｂの間に約１．７μｍの厚さで挟持した。
【００１５】
図１は、強誘電性液晶パネル４０を組み込んだ本実施の形態における液晶表示装置５０を示す分解図である。図１において、液晶表示装置５０は、強誘電性液晶パネル４０の前面に偏光板５１（偏光板の透過軸の方向５６とする）を配置し、強誘電性液晶パネル４０の背後に反射型偏光板５２（反射型偏光板の透過軸の方向５７とする）を配置し、反射型偏光板５２の外側には光吸収層５４及び外部光源５５を配置した。
【００１６】
強誘電性液晶パネル４０の点線で示した領域が表示領域４１である。外部光源５５は表示領域４１の一部の領域５３に対応する位置にのみ配置されている。よって、表示領域４１のうち、一部の領域５３が透過表示を行うことが可能な領域である。
【００１７】
外部光源５５としては、一部の領域５３にＬＥＤなどの発光素子を配置しても良いし、光源と導光板とを配置してもよい。その場合、導光板の大きさは一部の領域５３に対応する大きさにすることが望ましい。
【００１８】
強誘電性液晶分子は、電解等の外部からの影響に応じ、円錐（液晶コーン）の側面に沿って安定した２箇所の位置の何れかの位置を取る。強誘電性液晶を用いた液晶表示装置では、強誘電性液晶に印加する電圧の極性に応じて、強誘電性液晶分子が前述した安定した２箇所の何れか一方に位置するように制御する。２箇所の安定した位置の一方を第１の強誘電状態と称し、その分子方向を矢印として第１の強誘電状態の分子方向５８で示した。
また、他方を第２の強誘電状態と称し、その分子方向を矢印として第２の強誘電状態の分子方向５９とした。
【００１９】
ここで、第２の強誘電状態の分子方向５９における強誘電性液晶の分子の長軸方向を透過軸の方向５６及び透過軸の方向５７と一致するように配置した。第１の強誘電状態の分子方向５８は強誘電性液晶の分子の長軸方向を液晶コーンに沿った他の位置とした。
【００２０】
反射型偏光板５２は、ポリエステル樹脂等の多層フィルムから構成され、それぞれ直交する透過軸と反射軸を有し、透過軸に平行な振動面を有する直線偏光を透過し、かつ反射軸に平行な振動面を有する直線偏光を反射する機能を有する。また、反射型偏光板５２は、強誘電性液晶パネル４０の背後全面に対向するように配置した。
【００２１】
液晶表示装置５０は、印加電圧の極性を変化させて、強誘電性液晶分子が第１の強誘電状態の分子方向５８に転移させた（強誘電性液晶の分子の長軸方向が、偏光板５１の透過軸の方向５６及び反射型偏光板５２の透過軸の方向５７の何れとも一致しない）場合、液晶分子の長軸方向が透過軸の方向５６に対してある角度を持って傾くため、強誘電性液晶パネル４０に入射した偏光板５１の透過軸の方向５６と平行な振動面を有する光は、強誘電性液晶の複屈折性によって、反射型偏光板５２の透過軸の方向５７とほぼ垂直な振動面を有するようになり反射型偏光板５２によって反射される。従って、第１の強誘電状態の分子方向５８において、白が表示され、反射表示を行うことができる。
【００２２】
ここでは、反射型偏光板５２を強誘電性液晶パネル４０の背後全面に配置し、また反射型偏光板５２は外部光源からの光を透過することが可能な半透過反射層あることから、強誘電性液晶パネル４０は表示領域４１の全面で反射表示が可能である。さらに、外部光源５５は一部の領域５３にのみ配置されているので、一部の領域５３は反射表示と透過表示との両方が可能となる。
【００２３】
液晶表示装置５０は、強誘電性液晶パネル４０で外部光源５５が配置されている一部の領域５３で、印加電圧の極性を変化させて、強誘電性液晶分子が第２の強誘電状態の分子方向５９に転移させた（強誘電性液晶の分子の長軸方向が、偏光板５１の透過軸の方向５６及び反射型偏光板５２の透過軸の方向５７と一致する）場合、液晶分子の長軸方向が透過軸の方向５６に対して並行となるため、外部光源５５から強誘電性液晶パネル４０に入射した偏光板５１における透過軸の方向５６と平行な振動面を有する光は、反射型偏光板５２の透過軸の方向５７を通過し強誘電性液晶を透過し、外部光源５５の発光色となって、視認側で認識される。従って、外部光源５５の発光色が赤色の時は、第２の強誘電状態の分子方向５９において、赤が表示される。
【００２４】
液晶表示装置５０は、強誘電性液晶パネル４０で外部光源５５が配置されている領域以外で、印加電圧の極性を変化させて、強誘電性液晶分子が第２の強誘電状態の分子方向５９に転移させた（強誘電性液晶の分子の長軸方向が、偏光板５１の透過軸の方向５６及び反射型偏光板５２の透過軸の方向５７と一致する）場合、液晶分子の長軸方向が透過軸５６に対して並行となるため、強誘電性液晶パネル４０に入射した偏光板５１の透過軸５６と平行な振動面を有する光は、強誘電性液晶と反射型偏光板５２の透過軸５７とを透過し黒色の光吸収層５４で光が吸収される。従って、第２の強誘電状態の分子方向５９において、黒が表示される。
【００２５】
図３に本実施の形態における液晶表示装置の概略ブロック構成図を示す。液晶表示装置は、強誘電性液晶パネル４０、各走査電極４３ａに電圧波形を印加するための走査電極駆動回路７１、各信号電極４３ｂに電圧波形を印加するための信号電極駆動回路７２、強誘電性液晶パネル４０の背後にある外部光源５５を制御する外部光源制御回路７３、液晶表
示装置全体を制御する制御部７４、各種データを一時的に保管するＲＡＭ７５、文字表示のためのフォントデータやプログラムを記憶するＲＯＭ７６を有する。
【００２６】
また、液晶表示装置は、人が近づいたときに表示を変化させることができるように、電波送信部７７により微弱な電波を発信し、人の動きによる反射波を受信する電波受信部７８、受信した反射波を検知する検出部７９も有する。
【００２７】
電源回路７０は、チャージポンプ式やスイッチングレギュレータ式などにより各ブロック回路に必要な電源を生成し、電源として乾電池や光発電素子（太陽電池など）及び２次電池などを有する。
【００２８】
検出部７９により液晶表示装置に人が近づいたことを検出すると制御部７４は所定の信号を走査電極駆動回路７１、信号電極駆動回路７２、外部光源制御回路７３に出力する。これらの回路により部分的に強誘電性液晶パネル４０の表示内容を変更する部分駆動を行い、さらに外部光源５５を点灯させることで、視認性の高い表示媒体が得られる。表示内容を変更する際に、同じ内容の表示を点滅表示としても同様の効果が得られる。
【００２９】
次に図４、図５、図６を用いて、強誘電性液晶パネル４０の各画素の駆動波形の一例を説明する。先ず、強誘電性液晶の電気光学効果について説明する。図４は強誘電性液晶の透過率と電圧の特性図である。前述の通り、強誘電性液晶は２つの安定状態を持ち、その２つの安定状態はある閾値を超えた電圧を印加することによって状態が切り替わり、印加電圧の極性によって第１の強誘電状態（ＯＮ状態）あるいは第２の強誘電状態（ＯＦＦ状態）を選択することができる。すなわち初期（電圧無印加）時には、第１あるいは第２の強誘電状態で安定して存在するが、電圧がＶ１を超えてＶ２まで印加されると、第１の強誘電状態になる。その状態から印加電圧を徐々に下げても第１の強誘電状態を維持する。さらに電圧をＶ３からＶ４を超えて印加することで液晶分子は第２の強誘電状態に切り替わる。その状態から印加電圧を徐々に上げても第２の強誘電状態を維持する。この特性図で明らかなように強誘電性液晶を用いた液晶ディスプレイは、電圧が無印加時すなわち消費電力がゼロの時においても、その透過率、つまり表示状態を維持（メモリ性）できる。
【００３０】
図５は強誘電性液晶をマトリクス型の画素（例えば３×３）に形成したときの液晶パネルの電極配置を示した平面図である。図５に示すようなマトリクス型の液晶パネルは、通常、時分割駆動方法によって表示を行っている。すなわち、走査電極群ＴＰ１〜ＴＰ３を１ライン毎に例えばＴＰ１、ＴＰ２、・・・へと、走査電極駆動回路（図示せず）から走査側電圧波形として電圧が順次印加され、それに同期した信号側電圧波形が、同様に信号電極駆動回路（図示せず）から信号電極群ＳＧ１〜ＳＧ３へと並列に印加される。なお、信号側電圧は画素に表示される内容に応じた信号波形が出力する。
【００３１】
このとき、強誘電性液晶パネルの外側に配置した一対の偏光板の透過軸方向は前述した図１の分子方向５８と分子方向５９になるように配置する。
【００３２】
次に図６を用いて強誘電性液晶パネルの１行１列の画素Ｐｉｘ（１，１）を先ず第１の安定状態、次に第２の安定状態とする駆動方法について説明する。図６は、図３における強誘電性液晶パネル４０を駆動するために走査電極駆動回路７１から出力する走査側電圧波形ＴＰ１と信号電極駆動回路７２から出力する信号側電圧波形ＳＧ１、及び画素に印加する合成電圧波形ＴＳ（１，１）と強誘電性液晶の透過率曲線ＴＶ（１，１）を示したものである。横軸は全て時間であり、縦軸は各電圧波形に関しては電圧、透過率曲線に関しては透過率を示したものである。
【００３３】
第一のフィールド期間Ｆ１において、リセット期間ＲＳ１は、全ての走査電極ＴＰ１
〜ＴＰ３に走査側電圧波形ＴＰ１で示すようなリセット電圧±ＶＳの双極性パルスが印加される。同時に、全ての信号電極に信号側電圧波形ＳＧ１で示すような信号電圧±ＶＤの双極性パルスが印加される。これにより、リセット期間ＲＳ１の後半部では、リセット電圧と信号電圧の差分の電圧−（ＶＳ＋ＶＤ）が全ての画素に印加され、全ての画素は、図４の閾値電圧Ｖ４を超え、第二の強誘電状態となる。
【００３４】
選択期間ＳＥ１では、走査電極ＴＰ１に選択電圧±ＶＳの双極性パルスが印加され、信号電極ＳＧ１に信号電圧±ＶＤの双極性パルスが印加される。これにより、選択期間ＳＥ１の後半部では、選択電圧と信号電圧の差分の電圧＋（ＶＳ＋ＶＤ）が画素Ｐｉｘ（１，１）に印加され、図４の閾値電圧Ｖ２を超え、第一の強誘電状態となる。
【００３５】
保持期間ＮＳＥ１では、走査電極ＴＰ１に電圧ゼロが印加され、信号電極ＳＧ１に表示内容に応じた信号電圧±ＶＤの双極性パルスが印加される。図中四角で示したパルスは、＋ＶＤ、−ＶＤによって構成される任意のパルス列である。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＮＳＥ１では、信号側電圧波形ＳＧ１がそのまま反映され、±ＶＤの電圧がＰｉｘ（１，１）に印加されるが図４の閾値電圧Ｖ３を超えないので、選択期間ＳＥ１で決定された安定状態を維持する。
【００３６】
第二のフィールド期間Ｆ２において、リセット期間ＲＳ２は、全ての走査電極ＴＰ１〜ＴＰ３に走査側電圧波形ＴＰ１で示すようなリセット電圧±ＶＳの双極性パルスが印加される。同時に、全ての信号電極に信号側電圧波形ＳＧ１で示すような信号電圧±ＶＤの双極性パルスが印加される。これにより、リセット期間ＲＳ２の後半部では、リセット電圧と信号電圧の差分の電圧−（ＶＳ＋ＶＤ）が全ての画素に印加され、全ての画素は、図４の閾値電圧Ｖ４を超え、第二の強誘電状態となる。
【００３７】
選択期間ＳＥ２では、走査電極ＴＰ１に選択電圧±ＶＳの双極性パルスが印加され、信号電極ＳＧ１に信号電圧±ＶＤの双極性パルスが印加される。これにより、選択期間ＳＥ２の後半部では、選択電圧と信号電圧の差分の電圧＋（ＶＳ−ＶＤ）が画素Ｐｉｘ（１，１）に印加されるが図４の閾値電圧Ｖ１を超えないので、リセット期間ＲＳ２で決定された安定状態を維持する。
【００３８】
保持期間ＮＳＥ２では、走査電極ＴＰ１に電圧ゼロが印加され、信号電極ＳＧ１に表示内容に応じた信号電圧±ＶＤの双極性パルスが印加される。図中四角で示したパルスは、＋ＶＤ、−ＶＤによって構成される任意のパルス列である。例えば、一方の表示内容では、リセット電圧と同様に、＋ＶＤ、−ＶＤの順に印加され、他方の表示内容では、−ＶＤ、＋ＶＤの順に印加される。合成電圧波形ＴＳ（１，１）で示す通り、保持期間ＮＳＥ２では、信号側電圧波形ＳＧ１がそのまま反映され、±ＶＤの電圧がＰｉｘ（１，１）に印加されるが図４の閾値電圧Ｖ１を超えないので、リセット期間ＲＳ２で決定された安定状態を維持する。
【００３９】
図７に、本実施の形態における強誘電性液晶表示装置を棚札に用いた例を示す。図７（ａ）は、外部光源５５が消灯しているときに、駆動回路により所望のデータを与え、強誘電性液晶分子を第１の強誘電状態の分子方向５８とすることで、反射表示を行い、背景が白表示となる。また強誘電性液晶分子を第２の強誘電状態の分子方向５９とすることで、光吸収層が認識され、文字として黒表示を行っている。これらの表示は頻繁に書き換える必要がないので、一旦電圧が印加された後は、電圧を印加せず、強誘電性液晶のメモリ性が維持され、電圧無印加で表示が維持されている。
【００４０】
図７（ｂ）は、外部光源５５が点灯しているときに、駆動回路により一部の領域５３にのみ駆動を行い、所望のデータを与える。詳細には、走査電極駆動回路７１からは、一部の領域５３に相当する走査電極に走査側電圧波形を印加し、領域５３以外には走査側電圧波形を印加しない。信号電極駆動回路７２からは、一部の領域５３に相当する信号電極に信号側電圧波形を印加し、一部の領域５３以外には信号側電圧波形を印加しない。これにより、一部の領域５３のみを部分駆動することができる。よって、一部の領域５３における文字部の強誘電性液晶分子を第２の強誘電状態の分子方向５９に転移させることができ、一部の領域５３の文字列が外部光源５５で発光する色となる。
【００４１】
例えば、赤色の発光を外部光源５５を用いた場合には、一部の領域５３のみが赤色の発光が行われ、他の領域では、前述したように白地に黒色の表示が行われることになり、一部の領域５３のみが際立って目立つ表示が行われる。
【００４２】
ここで、一部の領域５３における文字部の強誘電性液晶分子を第２の強誘電状態の分子方向５９と第１の強誘電状態の分子方向５８とを交互に転移させると、点滅表示を行うことができ、このように、図７（ａ）、（ｂ）の表示を繰り返すことで、さらに視認性の高い液晶表示装置が実現できる。
【００４３】
図７のような部分的な切り替え表示は、フレーム周波数を遅くすることができ、また、外部光源の点灯領域も狭いために、消費電力の著しい増加はない。また、強誘電性液晶パネル４０の点滅表示に同期して、外部光源５５も点滅発光させることで、より消費電力を少なくすることが可能である。
【００４４】
また、人間の接近に伴い、このような部分駆動や点滅表示を開始するようにすれば、人が近づいたときのみに電力が消費されることになるので、さらなる低消費電力化が実現できる。
【００４５】
本実施形態では、液晶に強誘電性液晶を用いたが、メモリ性のないその他の液晶を用いても構わない。また、反射層に反射型偏光板を用いたが、反射層に反射機能があれば、その材質はいかなるものでも構わない。また、本実施形態では反射層を液晶パネルの外側に配置したが、液晶パネルの中に内在させても構わない。
【００４６】
本実施形態では、液晶パネルの背後全面に反射層を配置したが、一部の領域５３にのみ反射層を除いて開口を形成するような構造でも構わない。また、本実施形態では、一部の領域５３では、透過表示と反射表示との両方を表示したが、透過表示のみしか行われなくても構わない。
【産業上の利用可能性】
【００４７】
以上のように、本発明にかかる液晶表示装置は、携帯情報端末の表示媒体に有用であり、特に電子棚札などの低消費電力でかつ視認性の高い必要がある端末に適している。また、画面書き換えが頻繁に行なわれていないので、画面ちらつきのない良好な表示が実現できる。
【図面の簡単な説明】
【００４８】
【図１】本発明の液晶表示装置の表示部の構成例を示す概念図である。
【図２】本発明の液晶パネルの構成を示す断面図である。
【図３】本発明のメモリ性液晶表示装置のブロック構成図である。
【図４】強誘電性液晶における印加電圧と透過率との関係を示す特性図である。
【図５】液晶パネルをマトリクス型の画素に形成したときの電極配置を示した平面図である。
【図６】本発明のメモリ性液晶における駆動波形と光学応答と関係を示す特性図である。
【図７】本発明の液晶表示装置の表示例である。
【符号の説明】
【００４９】
ＴＰ１  １行目の走査電極波形
ＳＧ１  １列目の信号電極波形
ＴＳ（１，１）  １行１列の画素に印加する合成電圧波形
ＴＶ（１，１）  １行１列の画素の透過率特性波形
４０  強誘電性液晶パネル
４２ａ、４２ｂ  配向膜
４３ａ  走査電極
４３ｂ  信号電極
４４ａ、４４ｂ  ガラス基板
４５  シール剤
４６  液晶
５０  液晶表示装置
５１  偏光板
５２  反射型偏光板
５３  一部の領域
５４  光吸収層
５５  外部光源
５６、５７  偏光板の透過軸の方向
５８、５９  強誘電状態の分子方向
７０  電源回路
７１  走査電極駆動回路
７２  信号電極駆動回路
７３  外部光源制御回路
７４  制御部
７５  ＲＡＭ
７６  ＲＯＭ
７７  電波送信部
７８  電波受信部
７９  検出部
【図１】
2008070424.tif 000003
【図２】
2008070424.tif 000004
【図３】
2008070424.tif 000005
【図４】
2008070424.tif 000006
【図５】
2008070424.tif 000007
【図６】
2008070424.tif 000008
【図７】
2008070424.tif 000009